(57)【要約】【課題】健康のために、人体の、いわゆるつぼを刺激して血行を促すためのつぼ押し具と、顔の肌上にローラーを転がすことによって肌及び顔筋（表情筋）に刺激を与え、血流の促進、及び、皮膚の新陳代謝の活性化を享受する美顔具との両方を使用できるつぼ押し兼美顔具を提供する。【解決手段】頂点部を押点２２とする金属棒状体のつぼ押し具１０を手持ちハンドル部２３とし、このハンドル部２３の先端を金属回転球体２４からなる美顔具２１の回転中心軸部に着脱自在に挿入可能とした。【選択図】図１
2019107256.tif 000002
【特許請求の範囲】
【請求項１】
頂点部を押点とする金属棒状体のつぼ押し具を手持ちハンドル部とし、このハンドル部の先端を金属回転球体からなる美顔具の回転中心軸部に着脱自在に挿入可能としたことを特徴とするつぼ押し兼美顔具。
【請求項２】
つぼ押し具は、押点とつぼ押し具本体とは電気的に絶縁して、つぼ押し具本体に太陽電池を設け、該太陽電池の一方の電極をつぼ押し具本体に、太陽電池の他方の電極を押点に接続し、美顔具は、金属回転球体がつぼ押し具の押点とのみ電気的に接続する請求項１記載のつぼ押し兼美顔具。
【発明の詳細な説明】
【技術分野】
【０００１】
本発明は、人体の、いわゆるつぼを刺激して血行を促すためのつぼ押し具と、顔の肌上にローラーを転がすことによって肌及び顔筋（表情筋）に刺激を与え、血流の促進、及び、皮膚の新陳代謝の活性化を享受する美顔具との両方を使用できるつぼ押し兼美顔具に関するものである。
【背景技術】
【０００２】
従来、健康器具において、人体のつぼを押すためのつぼ押し具は、多種多様な形態や材料をもって構成されてきた。それらには、例えば、器具の上に乗って体重をかけてその荷重によりつぼを押すもの、手に持って手の力で押圧することによりつぼを押すハンディータイプのものなどがある。
【０００３】
このつぼを押すハンディータイプのものは、木製の棒材の両先端部を尖鋭的に加工したものが用いられ、中間部たる柄部を把持して、人体の所望の位置（つぼ）に先端部を押し着け押圧したり、先端部を断続的に打圧したりすることにより、つぼを刺激するというものである。
【０００４】
下記特許文献は、出願人が出願し特許を取得したものであり、簡単且つコンパクトな構成により容易に携帯することができ、豪華で見栄えも良く、人体の広範囲に−の電圧を多くかけることにより電位治療のような健康増進の効果も得られるつぼ押し具である。
【特許文献１】特開２０１６−５５０８７号公報
【０００５】
図９に示すように、先端部１１が縮径する金属棒状体のつぼ押し具本体１２の内部に上下方向に空洞部１３を形成し、先端部１１である空洞部開口に円形のボタン状の金属蓋体１４を設け、蓋体１４の外周にパッキンとして非通電部材１５を配設し、上端部である空洞部開口を透明体２０で閉塞するとともに、その下方に太陽電池１６を設け、太陽電池１６の一方の電極をつぼ押し具本体１２に接続し、太陽電池１６の他方の電極を蓋体１４に接続した。
【０００６】
また、空洞部１３の前記金属蓋体１４を嵌める側とは反対側、すなわち、上端部である空洞部１３の開口を閉塞する透明体２０にはダイヤモンド等の透明または半透明な宝石を用いて嵌め込むものとする。
【０００７】
透明または半透明な宝石は空洞部１３上面開口のカシメ１９により固定する。
【０００８】
次にこのように構成するつぼ押し具の使用方法について説明すると、透明体２０を上側に向けた状態で、つぼ押しを行う。
【０００９】
つぼ押し具本体１２の先端と金属蓋体１４は使用者の肌に触れる。
【００１０】
空洞部１３内の太陽電池１６は、透明または半透明な宝石である透明体２０を介して射し込む光によって発電され、太陽電池１６からの電流は、太陽電池＋電極１６ａ→つぼ押し具本体１２→人体→金属蓋体１４→太陽電池−電極１６ｂということで流れが確保される。
【００１１】
このようにして、太陽電池１６の発電により生じた電圧は、正電極（＋電極）１６ａからは＋電圧がつぼ押し具本体１２に印加され、負電極(−電極)１６ｂからは−電圧が金属蓋体１４を介して人体に印加され、人体の広範囲に電圧を印加し、電気を流すことができる。
【００１２】
また、つぼ押し具本体１２と金属蓋体１４を絶縁することにより、電池の電極が直結されて電力がそこで消費されてしまうのを防ぎ、電圧を有効に人体に加えることができる。
【００１３】
一方、顔の肌上にローラーを転がすことによって肌及び顔筋（表情筋）に刺激を与え、血流の促進、及び、皮膚の新陳代謝の活性化を享受する美顔具には種々のものがあり、その１例として下記特許文献２に示すようなものも提案されている。
【特許文献２】特開２０１２−２４９８２１号公報
【００１４】
これは、回転体を有し、当該回転体を回転自在に支持する回転ローラー部と、前記回転ローラー部と連結されて保持する保持部材と、を備え、前記回転体の外表面に、当該外表面に沿った所定の曲率を有して形成された複数の溝が並設されて形成されている構成を有している。
【発明の概要】
【発明が解決しようとする課題】
【００１５】
従来、つぼ押し具と美顔具を兼用できるものは無かった。
【００１６】
本発明の目的は前記従来例の不都合を解消し、健康のために、人体の、いわゆるつぼを刺激して血行を促すためのつぼ押し具と、顔の肌上にローラーを転がすことによって肌及び顔筋（表情筋）に刺激を与え、血流の促進、及び、皮膚の新陳代謝の活性化を享受する美顔具との両方を使用できるつぼ押し兼美顔具を提供することにある。
【課題を解決するための手段】
【００１７】
前記目的を達成するため請求項１記載の本発明は、頂点部を押点とする金属棒状体のつぼ押し具を手持ちハンドル部とし、このハンドル部の先端を金属回転球体からなる美顔具の回転中心軸部に着脱自在に挿入可能としたことを要旨とするものである。
【００１８】
請求項１記載の本発明によれば、頂点部を押点とする金属棒状体のつぼ押し具は金属回転球体からなる美顔具とは分離できるものであり、単独のつぼ押し具として使用可能である。また、美顔具として使用する場合は、つぼ押し具の先端を金属回転球体からなる美顔具の回転中心軸部に挿入することで、つぼ押し具が美顔具のローラーの手持ちハンドル部となり、美顔具の一部として使用できる。
【００１９】
請求項２記載の本発明は、つぼ押し具は、押点とつぼ押し具本体とは電気的に絶縁して、つぼ押し具本体に太陽電池を設け、該太陽電池の一方の電極をつぼ押し具本体に、太陽電池の他方の電極を押点に接続し、美顔具は、金属回転球体がつぼ押し具の押点とのみ電気的に接続することを要旨とするものである。
【００２０】
請求項２記載の本発明の本発明によれば、太陽電池からの電流は、太陽電池＋極→つぼ押し具本体→人体→押点→太陽電池−極ということで確保され、つぼ押し具本体全体が+電極となり、人体の広範囲に電圧をかけて電気を流すことができ、電位治療のような健康増進効果を得ることができる。
【００２１】
また、太陽電池からの−電極の電流は押点のみに流れ、電極端子間が導電性の連続体によって直結されないようにしたから、電気が導電性連続体のみに流れて電力が消費されることがない。すなわち、導電性連続体が環状に形成されていても、蓋の存在により電位差が保持され、この電位差によって人体に電圧を加えることができる。
【００２２】
また、太陽電池を電源として用いるようにしたから、つぼ押し具が大型化せず、軽量で携帯に適したものとすることができ、太陽電池は電池交換の必要も無い上、常に起電力が得られ、使用者の人体に電圧を印加することができる。
【００２３】
そして、美顔具として使用する場合にも、太陽電池からの電流は、太陽電池＋極→つぼ押し具本体→人体→押点→美顔具の金属回転球体→太陽電池−極ということで確保され、美顔具の金属回転球体が当たる顔の肌上に電圧をかけて電気を流すことができる。
【発明の効果】
【００２４】
以上述べたように本発明のつぼ押し兼美顔具は、健康のために、人体の、いわゆるつぼを刺激して血行を促すためのつぼ押し具と、顔の肌上にローラーを転がすことによって肌及び顔筋（表情筋）に刺激を与え、血流の促進、及び、皮膚の新陳代謝の活性化を享受する美顔具との両方を使用できるものである。
【図面の簡単な説明】
【００２５】
【図１】本発明のつぼ押し兼美顔具の１実施形態を示すつぼ押し具と美顔具を分離した状態の正面図である。
【図２】本発明のつぼ押し兼美顔具の１実施形態を示すつぼ押し具と美顔具を結合した状態の正面図である。
【図３】本発明のつぼ押し兼美顔具の１実施形態を示す美顔具部分の平面図である。
【図４】本発明のつぼ押し兼美顔具の１実施形態を示す美顔具部分の側面図である。
【図５】本発明のつぼ押し兼美顔具の１実施形態を示す美顔具部分の底面図である。
【図６】本発明のつぼ押し兼美顔具の１実施形態を示す説明図である。
【図７】本発明のつぼ押し兼美顔具の１実施形態を示すつぼ押し具下端部分の側面図である。
【図８】本発明のつぼ押し兼美顔具の１実施形態を示すつぼ押し具下端部分の底面面図である。
【図９】本発明のつぼ押し兼美顔具の１実施形態を示すおよび従来例のつぼ押し具部分の縦断側面図である。
【発明を実施するための形態】
【００２６】
以下、図面について本発明の実施の形態を詳細に説明する。図１は本発明のつぼ押し兼美顔具の１実施形態を示すつぼ押し具と美顔具を分離した状態の正面図、図２は同上つぼ押し具と美顔具を結合した状態の正面図で、図中１０はつぼ押し具、２１は美顔具である。
【００２７】
本発明は頂点部を押点２２とする金属棒状体のつぼ押し具１０を手持ちハンドル部２３とし、このハンドル部２３の先端を金属回転球体２４からなる美顔具２１の回転中心軸部に着脱自在に挿入可能とした。
【００２８】
先につぼ押し具１０について説明すると、前記特許文献１と同じく、先端部１１が縮径する金属棒状体のつぼ押し具本体１２の内部に上下方向に空洞部１３を形成した。
【００２９】
つぼ押し具本体１２を構成する金属としてはアルミ合金もしくはチタン合金であり、その他の金属でもよい。図中３０はつぼ押し具本体１２の中央に形成した縦縞溝を配したゆび掛け部で、多少、凹曲面になっており、つぼ押し具本体１２を手の指で握った時に親指と人指し指でつまむようにするものある。
【００３０】
前記空洞部１３は上下に貫通する孔として形成したが、これに限定されるものではなく、隔壁等で分断されたものでもよい。
【００３１】
空洞部１３は下部では下端に開口するが、先端部１１である空洞部１３の開口に半球状の金属蓋体１４を押点２２として設け、押点２２の外周にパッキンとして非通電部材１５を配設した。
【００３２】
押点２２は１８Ｋの金で構成し、該非通電部材１５によりつぼ押し具本体１２と押点２２とは電気的に絶縁されて係合する。
【００３３】
空洞部１３は一端はつぼ押し具本体１２の端部に開口するが、空洞部１３の開口を透明体２０で閉塞するとともに、その下方に太陽電池１６を設けた。
【００３４】
図示は省略するが、太陽電池１６は空洞部１３に水平な仕切りを設け、この仕切り板上に防振ゴムを介在させて、貼り付けるようにして設けてもよい。
【００３５】
前記空洞部１３に内蔵する太陽電池１６は、プラスチックフィルム基板上に形成したａ−Ｓｉ太陽電池を保護フィルムによりカバーした状態で、厚みを約０．４ｍｍと薄型に形成したもので、質量も数グラムから数十グラム程度の軽量にできる。
【００３６】
太陽電池１６の正電極（＋電極）１６ａからの直線状の導電線１７を空洞部１３の内側に接続して太陽電池１６の＋電極をつぼ押し具本体１２に接続し、負電極（−電極）１６ｂからの導電線１８を押点２２に接続することで、太陽電池１６の−電極を押点２２（金属蓋体１４）に接続した。導電線１７および導電線１８は空洞部１３を通すことができる。
【００３７】
また、空洞部１３の前記押点２２（金属蓋体１４）を嵌める側とは反対側、すなわち、反対側端部である空洞部１３の開口を閉塞する透明体２０にはダイヤモンド等の透明または半透明な宝石を用いて嵌め込むものとする
【００３８】
透明または半透明な宝石は空洞部１３上面開口のカシメ１９により固定する。
【００３９】
次に、美顔具２１について説明すると、アルミもしくはアルミ合金による金属回転球体２４は上下を平坦面としており、外表面には、回転軸に沿って、複数の所定の溝２５を形成した。
【００４０】
各溝２５は、ダイヤモンドカッター等での切削加工によるもので、同一（ほぼ同一も含む）の深さ及び幅を有し、金属回転球体２４の表面に沿って並設されている。
【００４１】
そして、各溝２５は、金属回転球体２４の表面に沿って波形に形成され、その曲率は、一方の回転方向に沿って徐々に小さくなっている。例えば、各溝２５は、所定の回転方向に沿って一つの山を有する波形形状を有し、全体で人体の指紋パターンを形成するようになっている。
【００４２】
なお、金属回転球体２４の外表面に形成された溝２５は、金属回転球体２４の表面に沿って形成され、形状が所定の曲率によって形成されていればよく、全ての溝２５が同一の曲率によって形成されていてもよい。
【００４３】
また、金属回転球体２４の外表面に形成された溝２５は、波形だけでなく、円、楕円または自由曲線などの形状であってもよく、金属回転球体２４の表面に沿って、かつ、所定の曲率によって形成されていればよい。
【００４４】
金属回転球体２４は上下方向に抜ける空洞部２６を有し、この空洞部２６内に合成樹脂からなる筒体２７をベアリング２８を介在させて嵌め込んだ。
【００４５】
筒体２７は下端に外向きフランジ２７ａを有するもので、内空は前記つぼ押し具１０の先端が嵌り込むに適した径である。
【００４６】
また、筒体２７を構成する合成樹脂としてはシリコン、塩ビ、ＰＰ，ＰＥ等特に限定はないが、アセタール樹脂、あるいはポリアセタール樹脂が好適である。
【００４７】
市販されているポリアセタールの例として、セラニーズ社のＣｅｌｃｏｎ（登録商標）とＨｏｓｔａｆｏｒｍ（登録商標）、デュポン社のデルリン（登録商標）（ホモポリマー）とポリプラスチックス社のＤＵＲＡＣＯＮ（登録商標）（ジュラコン、コポリマー）、旭化成（株）のテナック（登録商標）（ホモポリマー、コポリマーおよびブロックコポリマー）、三菱瓦斯化学（株）のユピタール（登録商標）（コポリマー）などが挙げられる。
【００４８】
前記ベアリング２８はリングベアリングであり、上下２段に配置して金属回転球体２４と筒体２７とが相互に自由に回転できるように係合させる。
【００４９】
また、筒体２７の上には銅による半球状のキャップ２９を取り付け、このキャップ２９はその上部が金属回転球体２４の上から顕出する。
【００５０】
なお、キャップ２９はこれにつぼ押し具１０の先端の押点２２が入り込んで電気的に接触できるものである。
【００５１】
図示は省略するが、キャップ２９はバネを介在させて内側に陥没しないようにすることもできる。
【００５２】
次に使用法について説明する。つぼ押し具のみを使用する場合は、美顔具２１から抜いて、単独で用いる。
【００５３】
透明体２０を上側に向けた状態で、つぼ押しを行うが、つぼ押し具本体１２の先端の押点２２（金属蓋体１４）は使用者の肌に触れると、太陽電池１６の発電により生じた電圧は、正電極（＋電極）１６ａからは＋電圧がつぼ押し具本体１２に印加され、負電極(−電極)１６ｂからは−電圧が金属蓋体１４を介して人体に印加され、人体の広範囲に電圧を印加し、電気を流すことができるのは前記の通りである。
【００５４】
美顔具として使用するには、つぼ押し具１０を金属回転球体２４からなる美顔具２１の回転中心軸部である筒体２７に挿入し、押点２２とキャップ２９とを接触させ、つぼ押し具１０を手持ちハンドル部２３とする。
【００５５】
手持ちハンドル部２３を手で握り、金属回転球体２４をローリングさせるが、このつぼ押し具１０による手持ちハンドル部２３に対して筒体２７は動かないが、金属回転球体２４は回転自在であり、金属回転球体２４の回転によって肌に刺激を伝達する。
【００５６】
その際、溝２５が金属回転球体２４の外表面に沿った所定の曲率によって形成されることによって、肌に当接された金属回転球体２４の肌への吸着効果を高めて種々の方向（例えば、上下左右や斜め方向）への滑りを防止することができる。
【００５７】
すなわち、金属回転球体２４は、肌に刺激を伝達するために、肌に当接されて吸着し、当該金属回転球体２４が肌上を回転する場合に、溝２５の形状に基づいて金属回転球体２４と肌との摩擦力を高めることができるので、金属回転球体２４による直接的な刺激を肌に伝達しつつ、重力が生じる方向と反対方向に金属回転球体２４を回転させることによって金属回転球体２４への肌の吸着及びその滑り防止に基づく肌のリフトアップ効果を与えることができる。
【００５８】
また、金属回転球体２４は、各溝２５を所定の回転方向に凸に形成させて指紋パターンのように形成させることができるので、指のような接触感を与え、肌の凹凸に合わせて金属回転球体２４を肌に吸着することができる。
【００５９】
したがって、金属回転球体２４は肌に当接された場合に、心地よい接触感を実現しつつも、刺激を伝達する際に当該金属回転球体２４が肌に当接された場合における吸着効果を高めて種々の方向への滑りを防止することができる。
【００６０】
また、金属回転球体２４の肌への当接面を広くすることができるので、一度の当接及びそれに伴う回転動作によって広範囲にわたって肌への刺激を伝達することができる。
【００６１】
さらに、太陽電池１６からの電流は、太陽電池＋電極１６ａ→つぼ押し具本体１２→人体→金属蓋体１４→太陽電池−電極１６ｂということで流れが確保されるので、太陽電池１６の発電により生じた電圧は、正電極（＋電極）１６ａからは＋電圧がつぼ押し具本体１２に印加され、負電極(−電極)１６ｂからは−電圧が押点２２（金属蓋体１４）からキャップ２９、金属回転球体２４を介して肌に印加され、肌の広範囲に電圧を印加し、電気を流すことができる。
【００６２】
なお、手持ちハンドル部２３としたつぼ押し具本体１２と押点２２（金属蓋体１４）を絶縁することにより、また、つぼ押し具本体１２と金属回転球体２４を合成樹脂からなる筒体２７で絶縁することにより、電池の電極が直結されて電力がそこで消費されてしまうのを防ぎ、電圧を有効に肌に加えることができる。
【符号の説明】
【００６３】
１０…つぼ押し具            １１…先端部
１２…つぼ押し具本体        １３…空洞部
１４…金属蓋体              １５…非通電部材
１６…太陽電池
１６ａ…正電極（＋電極）    １６ｂ…負電極(−電極)
１７，１８…導電線          １９…カシメ
２０…透明体                ２１…美顔具
２２…押点                  ２３…手持ちハンドル部
２４…金属回転球体          ２５…溝
２６…空洞部                ２７…筒体
２７ａ…外向きフランジ      ２８…ベアリング
２９…キャップ              ３０…ゆび掛け部
【図１】
2019107256.tif 000003
【図２】
2019107256.tif 000004
【図３】
2019107256.tif 000005
【図４】
2019107256.tif 000006
【図５】
2019107256.tif 000007
【図６】
2019107256.tif 000008
【図７】
2019107256.tif 000009
【図８】
2019107256.tif 000010
【図９】
2019107256.tif 000011
【手続補正書】
【提出日】平成31年1月25日(2019.1.25)
【手続補正１】
【補正対象書類名】明細書
【補正対象項目名】全文
【補正方法】変更
【補正の内容】
【発明の詳細な説明】
【技術分野】
【０００１】
本発明は、人体の、いわゆるつぼを刺激して血行を促すためのつぼ押し具と、顔の肌上にローラーを転がすことによって肌及び顔筋（表情筋）に刺激を与え、血流の促進、及び、皮膚の新陳代謝の活性化を享受する美顔具との両方を使用できるつぼ押し兼美顔具に関するものである。
【背景技術】
【０００２】
従来、健康器具において、人体のつぼを押すためのつぼ押し具は、多種多様な形態や材料をもって構成されてきた。それらには、例えば、器具の上に乗って体重をかけてその荷重によりつぼを押すもの、手に持って手の力で押圧することによりつぼを押すハンディータイプのものなどがある。
【０００３】
このつぼを押すハンディータイプのものは、木製の棒材の両先端部を尖鋭的に加工したものが用いられ、中間部たる柄部を把持して、人体の所望の位置（つぼ）に先端部を押し着け押圧したり、先端部を断続的に打圧したりすることにより、つぼを刺激するというものである。
【０００４】
下記特許文献は、出願人が出願し特許を取得したものであり、簡単且つコンパクトな構成により容易に携帯することができ、豪華で見栄えも良く、人体の広範囲に−の電圧を多くかけることにより電位治療のような健康増進の効果も得られるつぼ押し具である。
【特許文献１】特開２０１６−５５０８７号公報
【０００５】
図９に示すように、先端部１１が縮径する金属棒状体のつぼ押し具本体１２の内部に上下方向に空洞部１３を形成し、先端部１１である空洞部開口に円形のボタン状の金属蓋体１４を設け、蓋体１４の外周にパッキンとして非通電部材１５を配設し、上端部である空洞部開口を透明体２０で閉塞するとともに、その下方に太陽電池１６を設け、太陽電池１６の一方の電極をつぼ押し具本体１２に接続し、太陽電池１６の他方の電極を蓋体１４に接続した。
【０００６】
また、空洞部１３の前記金属蓋体１４を嵌める側とは反対側、すなわち、上端部である空洞部１３の開口を閉塞する透明体２０にはダイヤモンド等の透明または半透明な宝石を用いて嵌め込むものとする。
【０００７】
透明または半透明な宝石は空洞部１３上面開口のカシメ１９により固定する。
【０００８】
次にこのように構成するつぼ押し具の使用方法について説明すると、透明体２０を上側に向けた状態で、つぼ押しを行う。
【０００９】
つぼ押し具本体１２の先端と金属蓋体１４は使用者の肌に触れる。
【００１０】
空洞部１３内の太陽電池１６は、透明または半透明な宝石である透明体２０を介して射し込む光によって発電され、太陽電池１６からの電流は、太陽電池＋電極１６ａ→つぼ押し具本体１２→人体→金属蓋体１４→太陽電池−電極１６ｂということで流れが確保される。
【００１１】
このようにして、太陽電池１６の発電により生じた電圧は、正電極（＋電極）１６ａからは＋電圧がつぼ押し具本体１２に印加され、負電極(−電極)１６ｂからは−電圧が金属蓋体１４を介して人体に印加され、人体の広範囲に電圧を印加し、電気を流すことができる。
【００１２】
また、つぼ押し具本体１２と金属蓋体１４を絶縁することにより、電池の電極が直結されて電力がそこで消費されてしまうのを防ぎ、電圧を有効に人体に加えることができる。
【００１３】
一方、顔の肌上にローラーを転がすことによって肌及び顔筋（表情筋）に刺激を与え、血流の促進、及び、皮膚の新陳代謝の活性化を享受する美顔具には種々のものがあり、その１例として下記特許文献２に示すようなものも提案されている。
【特許文献２】特開２０１２−２４９８２１号公報
【００１４】
これは、回転体を有し、当該回転体を回転自在に支持する回転ローラー部と、前記回転ローラー部と連結されて保持する保持部材と、を備え、前記回転体の外表面に、当該外表面に沿った所定の曲率を有して形成された複数の溝が並設されて形成されている構成を有している。
【発明の概要】
【発明が解決しようとする課題】
【００１５】
従来、つぼ押し具と美顔具を兼用できるものは無かった。
【００１６】
本発明の目的は前記従来例の不都合を解消し、健康のために、人体の、いわゆるつぼを刺激して血行を促すためのつぼ押し具と、顔の肌上にローラーを転がすことによって肌及び顔筋（表情筋）に刺激を与え、血流の促進、及び、皮膚の新陳代謝の活性化を享受する美顔具との両方を使用できるつぼ押し兼美顔具を提供することにある。
【課題を解決するための手段】
【００１７】
前記目的を達成するため請求項１記載の本発明は、本体を金属で構成し、先端部が縮径する金属棒状体の先端の頂点部を押点とする金属棒状体のつぼ押し具と、金属回転球体の空洞部内に合成樹脂からなる筒体をベアリングを介在させて嵌め込み、前記筒体の内空は前記つぼ押し具の先端が嵌り込むに適した径である美顔具の組み合わせからなり、前記ｔつぼ押し具を手持ちハンドル部として、このハンドル部の先端を金属回転球体からなる美顔具の回転中心軸部に着脱自在に挿入可能としたことを要旨とするものである。
【００１８】
請求項１記載の本発明によれば、頂点部を押点とする金属棒状体のつぼ押し具は金属回転球体からなる美顔具とは分離できるものであり、単独のつぼ押し具として使用可能である。また、美顔具として使用する場合は、つぼ押し具の先端を金属回転球体からなる美顔具の回転中心軸部に挿入することで、つぼ押し具が美顔具のローラーの手持ちハンドル部となり、美顔具の一部として使用できる。
【００１９】
請求項２記載の本発明は、つぼ押し具は、押点として設けた金属蓋体の外周にパッキンとして非通電部材を配設して押点とつぼ押し具本体とは電気的に絶縁して、つぼ押し具本体の空洞部内に太陽電池を設け、該太陽電池の一方の電極をつぼ押し具本体に、太陽電池の他方の電極を押点に接続し、美顔具は、金属回転球体がつぼ押し具の押点とのみ電気的に接続することを要旨とするものである。
【００２０】
請求項２記載の本発明の本発明によれば、太陽電池からの電流は、太陽電池＋極→つぼ押し具本体→人体→押点→太陽電池−極ということで確保され、つぼ押し具本体全体が+電極となり、人体の広範囲に電圧をかけて電気を流すことができ、電位治療のような健康増進効果を得ることができる。
【００２１】
また、太陽電池からの−電極の電流は押点のみに流れ、電極端子間が導電性の連続体によって直結されないようにしたから、電気が導電性連続体のみに流れて電力が消費されることがない。すなわち、導電性連続体が環状に形成されていても、蓋の存在により電位差が保持され、この電位差によって人体に電圧を加えることができる。
【００２２】
また、太陽電池を電源として用いるようにしたから、つぼ押し具が大型化せず、軽量で携帯に適したものとすることができ、太陽電池は電池交換の必要も無い上、常に起電力が得られ、使用者の人体に電圧を印加することができる。
【００２３】
そして、美顔具として使用する場合にも、太陽電池からの電流は、太陽電池＋極→つぼ押し具本体→人体→押点→美顔具の金属回転球体→太陽電池−極ということで確保され、美顔具の金属回転球体が当たる顔の肌上に電圧をかけて電気を流すことができる。
【発明の効果】
【００２４】
以上述べたように本発明のつぼ押し兼美顔具は、健康のために、人体の、いわゆるつぼを刺激して血行を促すためのつぼ押し具と、顔の肌上にローラーを転がすことによって肌及び顔筋（表情筋）に刺激を与え、血流の促進、及び、皮膚の新陳代謝の活性化を享受する美顔具との両方を使用できるものである。
【図面の簡単な説明】
【００２５】
【図１】本発明のつぼ押し兼美顔具の１実施形態を示すつぼ押し具と美顔具を分離した状態の正面図である。
【図２】本発明のつぼ押し兼美顔具の１実施形態を示すつぼ押し具と美顔具を結合した状態の正面図である。
【図３】本発明のつぼ押し兼美顔具の１実施形態を示す美顔具部分の平面図である。
【図４】本発明のつぼ押し兼美顔具の１実施形態を示す美顔具部分の側面図である。
【図５】本発明のつぼ押し兼美顔具の１実施形態を示す美顔具部分の底面図である。
【図６】本発明のつぼ押し兼美顔具の１実施形態を示す説明図である。
【図７】本発明のつぼ押し兼美顔具の１実施形態を示すつぼ押し具下端部分の側面図である。
【図８】本発明のつぼ押し兼美顔具の１実施形態を示すつぼ押し具下端部分の底面面図である。
【図９】本発明のつぼ押し兼美顔具の１実施形態を示すおよび従来例のつぼ押し具部分の縦断側面図である。
【発明を実施するための形態】
【００２６】
以下、図面について本発明の実施の形態を詳細に説明する。図１は本発明のつぼ押し兼美顔具の１実施形態を示すつぼ押し具と美顔具を分離した状態の正面図、図２は同上つぼ押し具と美顔具を結合した状態の正面図で、図中１０はつぼ押し具、２１は美顔具である。
【００２７】
本発明は、つぼ押し具と美顔具の組み合わせからなり、頂点部を押点２２とする金属棒状体のつぼ押し具１０を手持ちハンドル部２３とし、このハンドル部２３の先端を金属回転球体２４からなる美顔具２１の回転中心軸部に着脱自在に挿入可能とした。
【００２８】
先につぼ押し具１０について説明すると、前記特許文献１と同じく、先端部１１が縮径する金属棒状体のつぼ押し具本体１２の内部に上下方向に空洞部１３を形成した。
【００２９】
つぼ押し具本体１２を構成する金属としてはアルミ合金もしくはチタン合金であり、その他の金属でもよい。図中３０はつぼ押し具本体１２の中央に形成した縦縞溝を配したゆび掛け部で、多少、凹曲面になっており、つぼ押し具本体１２を手の指で握った時に親指と人指し指でつまむようにするものある。
【００３０】
前記空洞部１３は上下に貫通する孔として形成したが、これに限定されるものではなく、隔壁等で分断されたものでもよい。
【００３１】
空洞部１３は下部では下端に開口するが、先端部１１である空洞部１３の開口に半球状の金属蓋体１４を押点２２として設け、押点２２の外周にパッキンとして非通電部材１５を配設した。
【００３２】
押点２２は１８Ｋの金で構成し、該非通電部材１５によりつぼ押し具本体１２と押点２２とは電気的に絶縁されて係合する。
【００３３】
空洞部１３は一端はつぼ押し具本体１２の端部に開口するが、空洞部１３の開口を透明体２０で閉塞するとともに、その下方に太陽電池１６を設けた。
【００３４】
図示は省略するが、太陽電池１６は空洞部１３に水平な仕切りを設け、この仕切り板上に防振ゴムを介在させて、貼り付けるようにして設けてもよい。
【００３５】
前記空洞部１３に内蔵する太陽電池１６は、プラスチックフィルム基板上に形成したａ−Ｓｉ太陽電池を保護フィルムによりカバーした状態で、厚みを約０．４ｍｍと薄型に形成したもので、質量も数グラムから数十グラム程度の軽量にできる。
【００３６】
太陽電池１６の正電極（＋電極）１６ａからの直線状の導電線１７を空洞部１３の内側に接続して太陽電池１６の＋電極をつぼ押し具本体１２に接続し、負電極（−電極）１６ｂからの導電線１８を押点２２に接続することで、太陽電池１６の−電極を押点２２（金属蓋体１４）に接続した。導電線１７および導電線１８は空洞部１３を通すことができる。
【００３７】
また、空洞部１３の前記押点２２（金属蓋体１４）を嵌める側とは反対側、すなわち、反対側端部である空洞部１３の開口を閉塞する透明体２０にはダイヤモンド等の透明または半透明な宝石を用いて嵌め込むものとする
【００３８】
透明または半透明な宝石は空洞部１３上面開口のカシメ１９により固定する。
【００３９】
次に、美顔具２１について説明すると、アルミもしくはアルミ合金による金属回転球体２４は上下を平坦面としており、外表面には、回転軸に沿って、複数の所定の溝２５を形成した。
【００４０】
各溝２５は、ダイヤモンドカッター等での切削加工によるもので、同一（ほぼ同一も含む）の深さ及び幅を有し、金属回転球体２４の表面に沿って並設されている。
【００４１】
そして、各溝２５は、金属回転球体２４の表面に沿って波形に形成され、その曲率は、一方の回転方向に沿って徐々に小さくなっている。例えば、各溝２５は、所定の回転方向に沿って一つの山を有する波形形状を有し、全体で人体の指紋パターンを形成するようになっている。
【００４２】
なお、金属回転球体２４の外表面に形成された溝２５は、金属回転球体２４の表面に沿って形成され、形状が所定の曲率によって形成されていればよく、全ての溝２５が同一の曲率によって形成されていてもよい。
【００４３】
また、金属回転球体２４の外表面に形成された溝２５は、波形だけでなく、円、楕円または自由曲線などの形状であってもよく、金属回転球体２４の表面に沿って、かつ、所定の曲率によって形成されていればよい。
【００４４】
金属回転球体２４は上下方向に抜ける空洞部２６を有し、この空洞部２６内に合成樹脂からなる筒体２７をベアリング２８を介在させて嵌め込んだ。
【００４５】
筒体２７は下端に外向きフランジ２７ａを有するもので、内空は前記つぼ押し具１０の先端が嵌り込むに適した径である。
【００４６】
また、筒体２７を構成する合成樹脂としてはシリコン、塩ビ、ＰＰ，ＰＥ等特に限定はないが、アセタール樹脂、あるいはポリアセタール樹脂が好適である。
【００４７】
市販されているポリアセタールの例として、セラニーズ社のＣｅｌｃｏｎ（登録商標）とＨｏｓｔａｆｏｒｍ（登録商標）、デュポン社のデルリン（登録商標）（ホモポリマー）とポリプラスチックス社のＤＵＲＡＣＯＮ（登録商標）（ジュラコン、コポリマー）、旭化成（株）のテナック（登録商標）（ホモポリマー、コポリマーおよびブロックコポリマー）、三菱瓦斯化学（株）のユピタール（登録商標）（コポリマー）などが挙げられる。
【００４８】
前記ベアリング２８はリングベアリングであり、上下２段に配置して金属回転球体２４と筒体２７とが相互に自由に回転できるように係合させる。
【００４９】
また、筒体２７の上には銅による半球状のキャップ２９を取り付け、このキャップ２９はその上部が金属回転球体２４の上から顕出する。
【００５０】
なお、キャップ２９はこれにつぼ押し具１０の先端の押点２２が入り込んで電気的に接触できるものである。
【００５１】
図示は省略するが、キャップ２９はバネを介在させて内側に陥没しないようにすることもできる。
【００５２】
次に使用法について説明する。つぼ押し具のみを使用する場合は、美顔具２１から抜いて、単独で用いる。
【００５３】
透明体２０を上側に向けた状態で、つぼ押しを行うが、つぼ押し具本体１２の先端の押点２２（金属蓋体１４）は使用者の肌に触れると、太陽電池１６の発電により生じた電圧は、正電極（＋電極）１６ａからは＋電圧がつぼ押し具本体１２に印加され、負電極(−電極)１６ｂからは−電圧が金属蓋体１４を介して人体に印加され、人体の広範囲に電圧を印加し、電気を流すことができるのは前記の通りである。
【００５４】
美顔具として使用するには、つぼ押し具１０を金属回転球体２４からなる美顔具２１の回転中心軸部である筒体２７に挿入し、押点２２とキャップ２９とを接触させ、つぼ押し具１０を手持ちハンドル部２３とする。
【００５５】
手持ちハンドル部２３を手で握り、金属回転球体２４をローリングさせるが、このつぼ押し具１０による手持ちハンドル部２３に対して筒体２７は動かないが、金属回転球体２４は回転自在であり、金属回転球体２４の回転によって肌に刺激を伝達する。
【００５６】
その際、溝２５が金属回転球体２４の外表面に沿った所定の曲率によって形成されることによって、肌に当接された金属回転球体２４の肌への吸着効果を高めて種々の方向（例えば、上下左右や斜め方向）への滑りを防止することができる。
【００５７】
すなわち、金属回転球体２４は、肌に刺激を伝達するために、肌に当接されて吸着し、当該金属回転球体２４が肌上を回転する場合に、溝２５の形状に基づいて金属回転球体２４と肌との摩擦力を高めることができるので、金属回転球体２４による直接的な刺激を肌に伝達しつつ、重力が生じる方向と反対方向に金属回転球体２４を回転させることによって金属回転球体２４への肌の吸着及びその滑り防止に基づく肌のリフトアップ効果を与えることができる。
【００５８】
また、金属回転球体２４は、各溝２５を所定の回転方向に凸に形成させて指紋パターンのように形成させることができるので、指のような接触感を与え、肌の凹凸に合わせて金属回転球体２４を肌に吸着することができる。
【００５９】
したがって、金属回転球体２４は肌に当接された場合に、心地よい接触感を実現しつつも、刺激を伝達する際に当該金属回転球体２４が肌に当接された場合における吸着効果を高めて種々の方向への滑りを防止することができる。
【００６０】
また、金属回転球体２４の肌への当接面を広くすることができるので、一度の当接及びそれに伴う回転動作によって広範囲にわたって肌への刺激を伝達することができる。
【００６１】
さらに、太陽電池１６からの電流は、太陽電池＋電極１６ａ→つぼ押し具本体１２→人体→金属蓋体１４→太陽電池−電極１６ｂということで流れが確保されるので、太陽電池１６の発電により生じた電圧は、正電極（＋電極）１６ａからは＋電圧がつぼ押し具本体１２に印加され、負電極(−電極)１６ｂからは−電圧が押点２２（金属蓋体１４）からキャップ２９、金属回転球体２４を介して肌に印加され、肌の広範囲に電圧を印加し、電気を流すことができる。
【００６２】
なお、手持ちハンドル部２３としたつぼ押し具本体１２と押点２２（金属蓋体１４）を絶縁することにより、また、つぼ押し具本体１２と金属回転球体２４を合成樹脂からなる筒体２７で絶縁することにより、電池の電極が直結されて電力がそこで消費されてしまうのを防ぎ、電圧を有効に肌に加えることができる。
【符号の説明】
【００６３】
１０…つぼ押し具            １１…先端部
１２…つぼ押し具本体        １３…空洞部
１４…金属蓋体              １５…非通電部材
１６…太陽電池
１６ａ…正電極（＋電極）    １６ｂ…負電極(−電極)
１７，１８…導電線          １９…カシメ
２０…透明体                ２１…美顔具
２２…押点                  ２３…手持ちハンドル部
２４…金属回転球体          ２５…溝
２６…空洞部                ２７…筒体
２７ａ…外向きフランジ      ２８…ベアリング
２９…キャップ              ３０…ゆび掛け部
【手続補正２】
【補正対象書類名】特許請求の範囲
【補正対象項目名】全文
【補正方法】変更
【補正の内容】
【特許請求の範囲】
【請求項１】
本体を金属で構成し、先端部が縮径する金属棒状体の先端の頂点部を押点とする金属棒状体のつぼ押し具と、金属回転球体の空洞部内に合成樹脂からなる筒体をベアリングを介在させて嵌め込み、前記筒体の内空は前記つぼ押し具の先端が嵌り込むに適した径である美顔具の組み合わせからなり、前記つぼ押し具を手持ちハンドル部として、このハンドル部の先端を金属回転球体からなる美顔具の回転中心軸部に着脱自在に挿入可能としたことを特徴とするつぼ押し兼美顔具。
【請求項２】
つぼ押し具は、押点として設けた金属蓋体の外周にパッキンとして非通電部材を配設して押点とつぼ押し具本体とは電気的に絶縁して、つぼ押し具本体の空洞部内に太陽電池を設け、該太陽電池の一方の電極をつぼ押し具本体に、太陽電池の他方の電極を押点に接続し、美顔具は、金属回転球体がつぼ押し具の押点とのみ電気的に接続する請求項１記載のつぼ押し兼美顔具。